(57)【要約】【課題】  大幅にコストを削減し、発熱性に優れ、容易にカーボンニュートラルを達成できるバイオマス燃料を提供する。【解決手段】  バイオマス発電等のバイオマス燃焼装置に用いられ、現生生物体構成物質起源の産業資源であるバイオマス燃料において、バイオマス燃料の一部又は全部を椰子の実由来の素材で構成される。  この場合、椰子の実由来の素材は、椰子殻、椰子殻繊維、又は、椰子殻粉末のいずれか、若しくはこれらの混合物とすると良い。    また、このバイオマス燃料はペレット状に形成される構成とすると、燃焼効率も一層向上し、更に、燃料としての取り扱いも良くなる。【選択図】  図１
0003185496.tif 000002
【実用新案登録請求の範囲】
【請求項１】
バイオマス発電等のバイオマス燃焼装置に用いられ、現生生物体構成物質起源の産業資源であるバイオマス燃料において、前記バイオマス燃料の一部又は全部を椰子の実由来の素材で構成されると共に、前記バイオマス燃料はペレット状に形成されることを特徴とするバイオマス燃料。  
【考案の詳細な説明】
【技術分野】
【０００１】
本考案は、バイオマス発電等に用いられるバイオマス燃料に係り、特に、大幅にコストを削減し、かつ、発熱性に優れたバイオマス燃料に関する。
【背景技術】
【０００２】
近年、バイオマス発電が注目されている。
このバイオマス発電に用いられるバイオマスとは、枯渇性資源ではない、現生生物体構成物質起源の産業資源を意味している。
【０００３】
バイオマスは有機物であるため、燃焼させると二酸化炭素が排出されるが、これに含まれる炭素は、そのバイオマスが成長過程で光合成により大気中から吸収した二酸化炭素に由来する。
そのため、バイオマスを使用しても全体として見れば大気中の二酸化炭素量を増加させていないと考えてよいとされ、いわゆるカーボンニュートラルである。
【０００４】
バイオマスエネルギーの源は、元をさかのぼれば植物によって取り込まれた太陽エネルギーである。このため、正味でエネルギーが獲得できれば再生可能エネルギーである。
【０００５】
即ち、バイオマス発電は、カーボンニュートラル、再生可能エネルギーという優れた特徴を持っており、特に、環境問題に厳しいヨーロッパ諸国においては有用性が注目されている。
このバイオマス燃料を用いた物としては、特許文献１に示されるように、石炭を粉砕した微粉炭、及び木材等のバイオマスを粉砕したバイオマス燃料微粉を燃焼させる混焼ボイラが実用に共されている。
【０００６】
【特許文献１】特願２０１２−１１２５５１
【考案の開示】
【考案が解決しようとする課題】
【０００７】
ところで、特許文献１に開示されているように、従来より石炭を粉砕した微粉炭、及び木材等のバイオマスを粉砕したバイオマス燃料微粉を燃焼させる混焼ボイラ等に用いられる燃料としては、一部にバイオマスとして木材が用いられている。
しかし、従来の木材を混合させる方法では、原材料が木材であるために、森林破壊が進むという問題がある。
【０００８】
また、カーボンニュートラルに関しては、森林を伐採した分を植林することにより達成でき、近年要求が厳しくなっているカーボンニュートラルという面においては伐採と植林という作業が不可欠になり、トータルの生産コストが増大するという問題もある。
更に、木材は相対的に有効熱量が余り多くはないという問題も備えている。
【０００９】
本考案は、上記従来の課題を解決し、大幅にコストを削減し、発熱性に優れ、容易にカーボンニュートラルを達成できるバイオマス燃料を提供することを目的とする。
【課題を解決するための手段】
【００１０】
本考案のバイオマス燃料は、請求項１に記載のものでは、バイオマス発電等のバイオマス燃焼装置に用いられ、現生生物体構成物質起源の産業資源であるバイオマス燃料において、前記バイオマス燃料の一部又は全部を椰子の実由来の素材で構成されると共に、前記バイオマス燃料はペレット状に形成される構成とした。
【考案の効果】
【００１１】
本考案のバイオマス燃料は、上述のように構成したために、以下のような優れた効果を有する。
（１）請求項１に記載したように構成すると、大幅にコストを削減し、発熱性に優れたバイオマス燃料とすることができる。
【考案を実施するための最良の形態】
【００１２】
以下、本考案のバイオマス燃料の一実施の形態について、図１を用いて説明する。
図１は、本考案のバイオマス燃料ペレット１０の外観形状を示す斜視図である。
【００１３】
先ず、本考案のバイオマス燃料１０に用いられるパーム椰子について説明する。
パーム椰子は、パームオイルを製造する過程において、パームＥＦＢ（Ｅｍｐｔｙ  Ｆｒｕｉｔ  Ｂｕｎｃｈ）ファイバー、パーム椰子殻、パーム原油、食用パーム油、粗パーム核油、パーム核粕に分類される。
【００１４】
パーム椰子の木よりパーム椰子房を採取し、パーム椰子房を煮て果実を取り出し、果実を剥いて残った物がパーム空椰子（ＥＦＢ）になる。
このパーム空椰子を加工した物が、パームＥＦＢファイバーになる。
また、パーム椰子果実の核から核油を絞り出した後の殻がパーム椰子殻になる。      
【００１５】
即ち、パーム椰子殻はパーム油を製造する工程における産業廃棄物であり、この産業廃棄物をバイオマス燃料の一部、又は全部に使用した場合、生産コストの大半はパーム油の製造過程において既に回収済みであり、木材を使用した場合に比較すると飛躍的にバイオマス燃料の製造コストを軽減できる。
【００１６】
また、バイオマス燃料として木材を使用した場合、森林破壊に繋がる上、カーボンニュートラルとするためには、森林伐採を行った後は、植林を行う必要があるが、バイオマス燃料として椰子の実由来の素材を用いた場合は、椰子の実は自然に発生する物であり、植林のような特別な作業を行う必要はなく、自動的にカーボンニュートラルであり、容易にカーボンニュートラルを達成できる。
【００１７】
次に、椰子の実由来の素材と木質燃料との有効熱量の比較について説明する。
木質燃料として木材チップを用いた場合の有効熱量は、２１４０ｋｃａｌ／ｋｇである。
ここで木材チップは、硬木を寸断したチップで、水分４５％とした。
なお、木材チップの場合、水分が１５％前後程度まで更に乾燥させることが望ましい。
また、木質燃料として、木材ペレットを用いた場合の有効熱量は、３８１６ｋｃａｌ／ｋｇである。
ここで木材ペレットは工場で生産される物とした。
【００１８】
一方、椰子の実由来の素材の場合、パーム椰子房繊維（ＥＦＢファイバー）を用いた場合の有効熱量は、４０００ｋｃａｌ／ｋｇ以上である。
またパーム椰子房繊維ペレットを用いた場合の有効熱量は、４４５２ｋｃａｌ／ｋｇである。
従って、木質燃料を用いた場合に比べて、椰子の実由来の素材を用いると熱効率が良好である。
【００１９】
更に、本実施の形態におけるバイオマス燃料１０では、椰子の実由来の素材として、椰子殻、椰子殻繊維、若しくは、椰子殻粉末のいずれか、又はこれらの混合物を用いるとともに、図１に示すように所定の加熱温度下で、ペレット状に加工している。
バイオマス燃料ペレット１０とすることにより、燃焼効率も一層向上し、更に、燃料としての取り扱いも良くなる。
【００２０】
従って、本考案の椰子の実由来の素材を用いたバイオマス燃料を用いると、大幅にコストを削減し、発熱性に優れ、かつ、容易にカーボンニュートラルを達成できる。
【図面の簡単な説明】
【００２１】
【図１】本考案のバイオマス燃料の一実施の形態における外観形状を示す斜視図である。
【符号の説明】
【００２２】
１０：バイオマス燃料ペレット
【図１】
0003185496.tif 000003
【手続補正書】
【提出日】平成25年4月1日(2013.4.1)
【手続補正１】
【補正対象書類名】実用新案登録請求の範囲
【補正対象項目名】全文
【補正方法】変更
【補正の内容】
【実用新案登録請求の範囲】
【請求項１】
バイオマス発電等のバイオマス燃焼装置に用いられ、現生生物体構成物質起源の産業資源であるバイオマス燃料において、前記バイオマス燃料の一部又は全部を椰子の実由来の素材で構成されると共に、前記バイオマス燃料は略円柱状に形成されることを特徴とするバイオマス燃料。  
【手続補正２】
【補正対象書類名】明細書
【補正対象項目名】００１０
【補正方法】変更
【補正の内容】
【００１０】
本考案のバイオマス燃料は、請求項１に記載のものでは、バイオマス発電等のバイオマス燃焼装置に用いられ、現生生物体構成物質起源の産業資源であるバイオマス燃料において、前記バイオマス燃料の一部又は全部を椰子の実由来の素材で構成されると共に、前記バイオマス燃料は略円柱状に形成される構成とした。
【手続補正３】
【補正対象書類名】明細書
【補正対象項目名】００１９
【補正方法】変更
【補正の内容】
【００１９】
更に、本実施の形態におけるバイオマス燃料１０では、椰子の実由来の素材として、椰子殻、椰子殻繊維、若しくは、椰子殻粉末のいずれか、又はこれらの混合物を用いるとともに、図１に示すように所定の加熱温度下で、略円柱状に加工している。
バイオマス燃料ペレット１０とすることにより、燃焼効率も一層向上し、更に、燃料としての取り扱いも良くなる。